【手続補正書】
【提出日】平成17年5月27日(2005.5.27)
【手続補正１】
【補正対象書類名】明細書
【補正対象項目名】発明の名称
【補正方法】変更
【補正の内容】
【発明の名称】反射型の液晶表示装置及び電子機器
【手続補正２】
【補正対象書類名】明細書
【補正対象項目名】特許請求の範囲
【補正方法】変更
【補正の内容】
【特許請求の範囲】
【請求項１】
金属膜からなる画素電極と、
前記画素電極上に形成された第１の誘電体膜と、
前記第１の誘電体膜上に形成された、前記第１の誘電体膜よりも屈折率の高い第２の誘電体膜とを有することを特徴とする反射型の液晶表示装置。
【請求項２】
金属膜からなる画素電極と、
前記画素電極上に形成された第１の誘電体膜と、
前記第１の誘電体膜上に形成された、前記第１の誘電体膜よりも屈折率の高い第２の誘電体膜とを有し、
前記第１の誘電体膜の膜厚及び屈折率を各々ｄL、ｎLとし、前記第２の誘電体膜の膜厚及び屈折率を各々ｄH、ｎHとし、前記第１の誘電体膜に入射する光の中心波長をλLとし、前記第２の誘電体膜に入射する光の中心波長をλHとする時、λL＝４ｎLｄL、λH＝４ｎHｄHを満たすことを特徴とする反射型の液晶表示装置。
【請求項３】
金属膜からなる画素電極と、
前記画素電極上に形成された第１の誘電体膜と、
前記第１の誘電体膜上に形成された、前記第１の誘電体膜よりも屈折率の高い第２の誘電体膜とを有し、
前記第１の誘電体膜の膜厚及び屈折率を各々ｄL、ｎLとし、前記第２の誘電体膜の膜厚及び屈折率を各々ｄH、ｎHとする時、前記第１の誘電体膜の膜厚ｄL及び第２の誘電体膜の膜厚ｄHは、
（１）３５０ｎｍ≦λL≦５５０ｎｍ、３８０ｎｍ≦λH≦７００ｎｍ
（２）４５０ｎｍ≦λL≦６５０ｎｍ、３００ｎｍ≦λH≦４５０ｎｍ
（ただしλL＝４ｎLｄL、λH＝４ｎHｄH）
のいずれかの条件を満たすことを特徴とする反射型の液晶表示装置。
【請求項４】
金属膜からなる画素電極と、
前記画素電極上に形成された第１の誘電体膜と、
前記第１の誘電体膜上に形成された、前記第１の誘電体膜よりも屈折率の高い第２の誘電体膜と、
前記第２の誘電体膜上に形成された第３の誘電体膜と、
前記第３の誘電体膜上に形成された、前記第３の誘電体膜よりも屈折率の高い第４の誘電体膜とを有することを特徴とする反射型の液晶表示装置。
【請求項５】
金属膜からなる画素電極と、
前記画素電極上に形成された第１の誘電体膜と、
前記第１の誘電体膜上に形成された、前記第１の誘電体膜よりも屈折率の高い第２の誘電体膜と、
前記第２の誘電体膜上に形成された第３の誘電体膜と、
前記第３の誘電体膜上に形成された、前記第３の誘電体膜よりも屈折率の高い第４の誘電体膜とを有し、
前記第１及び第３の誘電体膜の膜厚をｄL、前記第１及び第３の誘電体膜の屈折率をｎLとし、前記第２及び第４の誘電体膜の膜厚をｄH、前記第２及び第４の誘電体膜の屈折率をｎHとし、前記第１及び第３の誘電体膜に入射する光の中心波長をλLとし、前記第２及び第４の誘電体膜に入射する光の中心波長をλHとする時、λL＝４ｎLｄL、λH＝４ｎHｄHを満たすことを特徴とする反射型の液晶表示装置。
【請求項６】
金属膜からなる画素電極と、
前記画素電極上に形成された第１の誘電体膜と、該第１の誘電体膜よりも屈折率の高い第２の誘電体膜とでなる誘電体（Ａ）と、
前記誘電体（Ａ）上に形成された第３の誘電体膜と、該第３の誘電体膜よりも屈折率の高い第４の誘電体膜とでなる誘電体（Ｂ）とを有し、
前記第１及び第３の誘電体膜の屈折率をｎL、前記第２及び第４の誘電体膜の屈折率をｎHとし、前記第１、第２、第３及び第４の誘電体膜の膜厚を各々ｄ1、ｄ2、ｄ3、ｄ4とする時、前記第１、第２、第３及び第４の誘電体膜の膜厚は、４００ｎｍ≦λA≦５７０ｎｍ、４００ｎｍ≦λB≦８００ｎｍ（ただしλA＝４ｎLｄ1＝4ｎHｄ2、λB＝４ｎLｄ3＝４ｎHｄ4）を満たすことを特徴とする反射型の液晶表示装置。
【請求項７】
金属膜からなる画素電極と、
前記画素電極上に形成された第１の誘電体膜と、
前記第１の誘電体膜上に形成された、前記第１の誘電体膜よりも屈折率の高い第２の誘電体膜と、
前記第２の誘電体膜上に形成された第３の誘電体膜と、
前記第３の誘電体膜上に形成された、前記第３の誘電体膜よりも屈折率の高い第４の誘電体膜とを有し、
前記第１及び第３の誘電体膜の膜厚をｄL、前記第１及び第３の誘電体膜の屈折率をｎLとし、前記第２及び第４の誘電体膜の膜厚をｄH、前記第２及び第４の誘電体膜の屈折率をｎHとする時、前記第１及び第３の誘電体膜の膜厚ｄL並びに前記第２及び第４の誘電体膜の膜厚ｄHは、
（１）５００ｎｍ≦λL≦５５０ｎｍ、４００ｎｍ≦λH≦５００ｎｍ
（２）３５０ｎｍ≦λL≦５００ｎｍ、５００ｎｍ≦λH≦５５０ｎｍ
（３）３５０ｎｍ≦λL≦５００ｎｍ、５５０ｎｍ≦λH≦７５０ｎｍ
（ただしλL＝４ｎLｄL、λH＝４ｎHｄH）
のうちのいずれかの条件を満たすことを特徴とする反射型の液晶表示装置。
【請求項８】
請求項１乃至請求項７のいずれか一項において、
前記第１の誘電体膜の屈折率は１．２〜１．６であることを特徴とする反射型の液晶表示装置。
【請求項９】
請求項１乃至請求項８のいずれか一項において、
前記第２の誘電体膜の屈折率は１．８〜２．５であることを特徴とする反射型の液晶表示装置。
【請求項１０】
請求項４乃至請求項７のいずれか一項において、
前記第１の誘電体膜及び前記第３の誘電体膜の屈折率は１．２〜１．６であることを特徴とする反射型の液晶表示装置。
【請求項１１】
請求項４乃至請求項７、請求項１０のいずれか一項において、
前記第２の誘電体膜及び前記第４の誘電体膜の屈折率は１．８〜２．５であることを特徴とする反射型の液晶表示装置。
【請求項１２】
請求項１乃至請求項７のいずれか一項において、
前記第１の誘電体膜は、アクリル、ポリイミド、フッ化マグネシウムまたは二酸化シリコンであることを特徴とする反射型の液晶表示装置。
【請求項１３】
請求項１乃至請求項７、請求項１２のいずれか一項において、
前記第２の誘電体膜は、二酸化チタン、ジルコニア、ＩＴＯ（酸化インジウムスズ）、窒化シリコンまたは二酸化セリウムであることを特徴とする反射型の液晶表示装置。
【請求項１４】
請求項４乃至請求項７のいずれか一項において、
前記第１の誘電体膜及び前記第３の誘電体膜は、アクリル、ポリイミド、フッ化マグネシウムまたは二酸化シリコンであることを特徴とする反射型の液晶表示装置。
【請求項１５】
請求項４乃至請求項７、請求項１４のいずれか一項において、
前記第２の誘電体膜及び前記第４の誘電体膜は、二酸化チタン、ジルコニア、ＩＴＯ（酸化インジウムスズ）、窒化シリコンまたは二酸化セリウムであることを特徴とする反射型の液晶表示装置。
【請求項１６】
請求項３、請求項６、請求項７のいずれか一項において、
ｎL／ｎH≦０．７の関係が成り立つことを特徴とする反射型の液晶表示装置。
【請求項１７】
請求項１乃至請求項１６のいずれか一項において、
前記膜厚ｄLは前記膜厚ｄHより薄いことを特徴とする反射型の液晶表示装置。
【請求項１８】
請求項１乃至請求項１７のいずれか一項に記載された反射型の液晶表示装置を表示ディスプレイとして有することを特徴とする電子機器。
【請求項１９】
請求項１乃至請求項１７のいずれか一項に記載された反射型の液晶表示装置を有することを特徴とするビデオカメラ、スチルカメラ、プロジェクター、プロジェクションテレビ、ヘッドマウントディスプレイ、ナビゲーションシステム、パーソナルコンピュータ、または携帯情報端末。